(57)【要約】【課題】回転体の前面側に、意匠部を遊技者が視認できるよう、回転させることなく固定することができる遊技機の可動装飾装置を提供する。【解決手段】第１太陽１０ギアを備え、遊技機に固定されたベース部１と、ベース部１の前面側に位置し、第１太陽ギア１０の中心を貫通する回転軸により回転される回転体９と、回転体９の前面側に位置し、回転体９の回転中心線上に回動自在に軸支された意匠部１４と、を備え、意匠部１４には第１太陽ギア１０と同軸で同一歯数の第２太陽ギア１６を固設し、また回転体９には、第１太陽ギア１０と噛合する第１遊星ギア１１と、これと同一歯数であって第２太陽ギア１６と噛合する第２遊星ギア１３とを軸支し、回転体９を回転させても意匠部１４を非回転とした【選択図】図１
2015100385.tif 000002
【特許請求の範囲】
【請求項１】
第１太陽ギアを備え、遊技機に固定されたベース部と、
該ベース部の前面側に位置し、前記第１太陽ギアの中心を貫通する回転軸により回転される回転体と、
該回転体の前面側に位置し、回転体の回転中心線上に回動自在に軸支された意匠部と、を備え、
該意匠部には前記第１太陽ギアと同軸で同一歯数の第２太陽ギアを固設し、
また前記回転体には、前記第１太陽ギアと噛合する第１遊星ギアと、これと同一歯数であって前記第２太陽ギアと噛合する第２遊星ギアとを軸支し、
前記回転体を回転させても前記意匠部を非回転としたことを特徴とする遊技機の可動装飾装置。
【請求項２】
前記回転体の後面側に前記第１遊星ギアを緩挿し、前記回転体の前面側に前記第２遊星ギアを位置させるとともに、前記第１遊星ギアと前記第２遊星ギアとを、同一の回転軸部を介して前記回転体に取付けたことを特徴とする請求項１記載の遊技機の可動装飾装置。
【請求項３】
前記ベース部は、モータと、
該モータの駆動力を伝導するモータギアと、
該モータギアと噛合するとともに、前記第１太陽ギアの中心に形成された貫通口を挿通する突起部を備え、該突起部に前記回転体が固定されるハブギアと、
前記回転体に設けられた電気、電子部品への給電を行うスリップリング構造を備えた給電装置と、をその内部に備え、
前記ハブギアの後面側には、前記給電装置の回転軸部を取付けたことを特徴とする請求項１記載の遊技機の可動装飾装置。
【発明の詳細な説明】
【技術分野】
【０００１】
本発明は、発光体等の電気、電子部品が搭載された回転体を持つ遊技機の可動装飾装置に関するものである。
【背景技術】
【０００２】
遊技機には、興趣を高めるために様々な可動装飾装置が取付けられており、例えば特許文献１のような発光体を備えた回転体がある。前記発光体に給電を行う際には、回転体に対して同心円状に配置された環状の電路に、ブラシを接触させることによって電力や信号等を伝達することを可能としたスリップリングが利用される。
【０００３】
しかしながら、スリップリングの回転軸部は、回転体の回転中心線上に位置することから、例えば回転体の前面側の回転中心線上に、メーカのロゴ等の意匠部を遊技者が視認できるよう固定しようとしても、この意匠部を支持する土台がないため固定することができない問題があった。
【先行技術文献】
【特許文献】
【０００４】
【特許文献１】特開２００５−２２４４３６号公報
【発明の概要】
【発明が解決しようとする課題】
【０００５】
本発明の目的は前記した従来の問題点を解決し、回転体の前面側に、意匠部を遊技者が視認できるよう、回転させることなく固定することができる遊技機の可動装飾装置を提供することである。
【課題を解決するための手段】
【０００６】
上記課題を解決するためになされた本発明は、第１太陽ギアを備え、遊技機に固定されたベース部と、該ベース部の前面側に位置し、前記第１太陽ギアの中心を貫通する回転軸により回転される回転体と、該回転体の前面側に位置し、回転体の回転中心線上に回動自在に軸支された意匠部と、を備え、該意匠部には前記第１太陽ギアと同軸で同一歯数の第２太陽ギアを固設し、また前記回転体には、前記第１太陽ギアと噛合する第１遊星ギアと、これと同一歯数であって前記第２太陽ギアと噛合する第２遊星ギアとを軸支し、前記回転体を回転させても前記意匠部を非回転としたことを特徴とするものである。
【０００７】
請求項２記載の発明は、請求項１記載の遊技機の可動装飾装置において、前記回転体の後面側に前記第１遊星ギアを緩挿し、前記回転体の前面側に前記第２遊星ギアを位置させるとともに、前記第１遊星ギアと前記第２遊星ギアとを、同一の回転軸部を介して前記回転体に取付けたことを特徴とするものである。
【０００８】
請求項３記載の発明は、請求項１記載の遊技機の可動装飾装置において、前記ベース部は、モータと、該モータの駆動力を伝導するモータギアと、該モータギアと噛合するとともに、前記第１太陽ギアの中心に形成された貫通口を挿通する突起部を備え、該突起部に前記回転体が固定されるハブギアと、前記回転体に設けられた電気、電子部品への給電を行うスリップリング構造を備えた給電装置と、をその内部に備え、前記ハブギアの後面側には、前記給電装置の回転軸部を取付けたことを特徴とするものである。
【発明の効果】
【０００９】
本発明に係る遊技機の可動装飾装置は、第１太陽ギアを備え、遊技機に固定されたベース部と、このベース部の前面側に位置し、第１太陽ギアの中心を貫通する回転軸により回転される回転体と、この回転体の前面側に位置し、回転体の回転中心線上に回動自在に軸支された意匠部と、を備え、この意匠部には第１太陽ギアと同軸で同一歯数の第２太陽ギアを固設し、また回転体には、第１太陽ギアと噛合する第１遊星ギアと、これと同一歯数であって第２太陽ギアと噛合する第２遊星ギアとを軸支し、回転体を回転させても意匠部を非回転とした。これによって、意匠部は静止して遊技者から視認されることから、意匠部を遊技者から見て回転させることなく回転体の前面側に固定させることが可能となり、また演出の幅も広がる。
【００１０】
請求項３記載の発明は、請求項１記載の遊技機の可動装飾装置において、ベース部の内部には、モータと、このモータの駆動力を伝導するモータギアと、このモータギアと噛合するとともに、第１太陽ギアの中心に形成された貫通口を挿通する突起部を備え、この突起部に回転体が固定されるハブギアと、回転体に設けられた電気、電子部品への給電を行うスリップリング構造を備えた給電装置と、を備え、ハブギアの後面側には、給電装置の回転軸部を取付けた。これにより、回転体が回転する間も、回転体に搭載された電気、電子部品への給電を行うことが可能となる。
【図面の簡単な説明】
【００１１】
【図１】本実施形態の前面側を示す分解斜視図である。
【図２】本実施形態の後面側を示す分解斜視図である。
【図３】本実施形態を示す断面斜視図である。
【図４】本実施形態を示す斜視図である。
【図５】本実施形態を示す上面図である。
【図６】本実施形態の前面側の要部を示す斜視図である。
【図７】本実施形態の後面側の要部を示す斜視図である。
【図８】本実施形態の要部を示す上面図である。
【発明を実施するための形態】
【００１２】
以下に本発明の好ましい実施形態を示す。図示しない遊技機の遊技盤には、図１及び図２に示すベース部１が固定される。ベース部１は、遊技盤に取付けられるベース部本体２と、その前面側に固定されるベース部カバー３とからなるものである。ベース部本体２の内部には、モータ４が取付けられるとともに、このモータ４の駆動力を伝導するモータギア５が設けられる。そして、このモータギア５と噛合する係合部を備えたハブギア６は、ベース部１の内部でモータギア５と噛合するとともに、その前面側に延設された突起部７が、ベース部カバー３の中心に形成された貫通口８を挿通している。さらに、ハブギア６の前面側に位置する回転体９は、前記突起部７に固定されるため、ハブギア６と同軸（すなわち図３のＡ軸）で回転する。
【００１３】
ベース部カバー３の貫通口８の前面側の外周には、第１太陽ギア１０が形成されている。また、この第１太陽ギア１０と噛合する第１遊星ギア１１が、前記回転体９の後面側に緩挿されている。さらに、回転体９の前面側には、第１遊星１１ギアと同一歯数であり、また第１遊星ギア１１と回転軸部１２を介して取付けられた第２遊星ギア１３が設けられている。なお、本実施形態においては、第１遊星ギア１１と第２遊星ギア１３とを同軸（すなわち図３のＢ軸）としたが、両者の歯数が同一であれば、これに限定されるものではい。
【００１４】
回転体９の前面側においては、メーカのロゴ等が取付けられる意匠部１４に形成された回転軸部１５が、回転体９の回転中心線上に軸支されている。意匠部１４には、図２に示すように、その後面側のうち回転軸部１５を中心とした同心円上に、第２太陽ギア１６が形成されおり、前記した第２遊星ギア１３と噛合している。このとき、意匠部１４に形成された第２太陽ギア１６と、ベース部カバー３に形成された第１太陽ギア１０との歯数は同一である。したがって、図３に示すように、ハブギア６と、回転体９と、意匠部１４とは、Ａ軸上に各々の回転中心が位置するものである。
【００１５】
以上の構成により、モータ４が駆動すると、これに連動してモータギア５が回転し、このモータギア５に噛合したハブギア６が、Ａ軸を中心に回転する。したがって、回転体９もＡ軸を中心として回転する。ここで、第１太陽ギア１０が形成されたベース部カバー３は遊技盤に固定されていることから、回転体９が回転することにより、回転体９のＢ軸線上に緩挿された第１遊星ギア１１は、Ｂ軸を中心として自転をしながら、Ａ軸を中心として公転することとなる。さらに、この第１遊星ギア１１と回転軸部１２を介して取付けられた第２遊星ギア１３も、同様にＢ軸を中心として自転をしながら、Ａ軸を中心として公転する。また意匠部１４は、前記第２遊星ギア１３と噛合する第２太陽ギア１６を備えており、さらに、第１太陽ギア１０の歯数と第２太陽ギア１６との歯数が同一であり、かつ第１遊星ギア１１の歯数と第２遊星ギア１３との歯数が同一であることから、前記意匠部１４は非回転となる。すなわち、回転体９を回転させても意匠部１４は静止して遊技者から視認されることから、意匠部１４を遊技者から見て回転させることなく回転体９の前面側に固定させることが可能となると同時に、演出の幅も広げることが可能となる。
【００１６】
なお、本実施形態においては、第１太陽ギア１０と第１遊星ギア１１とを同一歯数とし、また第２太陽ギア１６と第２遊星ギア１３とを同一歯数としたが、これに限定されるものではない。
【００１７】
回転体９の左右両方向に延設されたブレード１７の前面側には、電気、電子部品である発光素子１８が一直線上に複数設けられており、本実施形態においては、回転体９の回転に伴い文字や数字等が残像として表示されるバーサライタとしたが、これに限定されるものではない。前記発光素子１８には給電を行う必要があり、その給電方法としてスリップリングを用いる構造とした。スリップリングは、ベース部本体２の内部に取付けられた給電装置１９内に設けられており、回転するスリップリングに図示しないブラシが接触することによって給電が行われるものである。給電装置１９の回転軸部２０は、図３のＡ軸線上に位置し、またこの回転軸部２０はハブギア６の後面側に固定されるものとした。このような構成によって、回転体９が回転する間も、回転体９に設けられた発光素子１８に常時給電を行うことが可能となる。
【符号の説明】
【００１８】
１  ベース部
２  ベース部本体
３  ベース部カバー
４  モータ
５  モータギア
６  ハブギア
７  突起部
８  貫通口
９  回転体
１０  第１太陽ギア
１１  第１遊星ギア
１２  回転軸部
１３  第２遊星ギア
１４  意匠部
１５  回転軸部
１６  第２太陽ギア
１７  ブレード
１８  発光素子
１９  給電装置
２０  回転軸部
【図１】
2015100385.tif 000003
【図２】
2015100385.tif 000004
【図３】
2015100385.tif 000005
【図４】
2015100385.tif 000006
【図５】
2015100385.tif 000007
【図６】
2015100385.tif 000008
【図７】
2015100385.tif 000009
【図８】
2015100385.tif 000010